(57)【要約】  本発明は、セレンを液体から効果的に除去する方法を提供する。前記方法は、前記液体に酸化剤を添加し、前記液体のｐＨを７．５未満に調節し、第２鉄塩を、前記液体中のセレンの四分の一未満が沈殿するような量で添加し、及びジチオカルバメートモノマーを含むポリジチオカルバメート物質を、前記液体に、前記ジチオカルバメートモノマーの量（ｐｐｍ）が前記第２鉄塩の量（ｐｐｍ）よりも多くなるような量で添加する、ステップを含む、方法。本方法は、従来方法に比較してより多くのセレンを除去し、高価な化学物質の使用はより少ない。さらに、本方法は、水中のセレンに対する増え続ける環境基準を費用効果的なコンプライアンスを実現することができる。
2013522008.tif 000002
【特許請求の範囲】
【請求項１】
セレンを液体から除去する方法であり、前記方法は：
前記液体に酸化剤を添加し、
前記液体のｐＨを７．５未満に調節し、
第２鉄塩を、前記液体中のセレンの四分の一未満が沈殿するような量で添加し、及び
ジチオカルバメートモノマーを含むポリジチオカルバメート物質を、前記液体に、前記ジチオカルバメートモノマーの量（ｐｐｍ）が前記第２鉄塩の量（ｐｐｍ）よりも多くなるような量で添加する、ステップを含む、方法。
【請求項２】
請求項１に記載の方法であり、前記液体が水である、方法。
【請求項３】
請求項１に記載の方法であり、前記液体がサワーストリップ水である、方法。
【請求項４】
請求項１に記載の方法であり、前記ｐＨが、硫酸、ＨＣｌ、Ｈ３ＰＯ４及びこれらの任意の組合せを添加することで下げる、方法。
【請求項５】
請求項１に記載の方法であり、前記第２鉄塩が、硫酸第２鉄、塩化第２鉄、硫酸第１鉄、塩化第１鉄及びこれらの任意の組合せからなる群から選択される、方法。
【請求項６】
請求項１に記載の方法であり、前記第２鉄塩が、１〜３００ｐｐｍの間の量で添加される、方法。
【請求項７】
請求項１に記載の方法であり、前記ジチオカルバメートモノマーが、前記液体へ添加される第２鉄塩の５０％〜３００％の間である、方法。
【請求項８】
請求項１に記載の方法であり、前記方法がさらに、前記液体に凝集剤を添加することを含む、方法。
【請求項９】
請求項１に記載の方法であり、前記方法が、前記液体へ硫黄含有凝集剤を添加することを含む、方法。
【請求項１０】
請求項１に記載の方法であり、前記方法が、前記液体中のセレンの量を、１０００ｐｐｂを超える量から４０ｐｐｂ未満の量へ低減させる、方法。
【請求項１１】
請求項１に記載の方法であり、前記酸化剤が、過酸化水素オゾン、ＫＭｎＯ４、ＮａＣｌＯ、ＣｌＯ２、過酢酸、過炭酸ナトリウム、過酸化カルバミド、過硫酸ナトリウム及びこれらの任意の組合せからなるリストから選択される、方法。
【請求項１２】
液体からセレンを除去する方法であり、前記方法が：
前記液体に酸化剤を添加し、
前記液体のｐＨを７．５未満に調節し、
第２鉄塩を、前記液体中のセレンの四分の一未満が沈殿するような量で添加し、及び
ＤＴＣ物質を、前記液体に、前記ジチオカルバメート物質の量（ｐｐｍ）が前記第２鉄塩の量（ｐｐｍ）よりも多くなるような量で添加する、ステップを含む、方法。
【発明の詳細な説明】
【技術分野】
【０００１】
本発明は、流体からセレンを除去するための物質及びそれを用いて流体からセレンを除去する方法に関する。
【背景技術】
【０００２】
セレン化合物は、地球地殻に０．９ｐｐｍ含まれることが報告されている。セレンは、酵素グルタチオンパーオキシダーゼを作るために使用される微量金属として重要であり、前記酵素は脂質代謝に関与しており、従って多くの生物に見出される。セレンはまた、生物分解物質から由来する原油、石炭及びその他の化石燃料中に種々の量で見出され、又近隣の鉱物からも滲出する。セレン化合物はまた、自然に地下水中に及びセレン含有殺虫剤と除草剤の使用による農業排水中に見出される。
【０００３】
不幸なことに、セレンは高い毒性を持ち、少量であっても障害を引き起こす可能性がある。障害には、皮膚炎、中枢神経系障害、ネフローゼ、膵臓及び副腎皮質の出血性壊死が含まれ、多量投与では死亡する。その結果として、多くの地域では、家庭用供給水でのセレンの許容量を１０ｐｐｂに制限してきた。その結果として、セレン含有物質を含む活動から生成される排水を処分することは困難である。さらに、その毒性のために、これらの厳密な標準も将来において一様にさらに制限され得る。
【０００４】
セレンの化学的性質が、溶液から除去することを困難かつ複雑なことにしている。原子状態では不溶性ではあるが、セレンは４つの酸化状態（−２、＋２、＋４及び＋６）を持ち、これによりセレンは多くの高い水溶性の化合物を容易に形成でき、従ってセレンを溶液から除去することを非常に困難にする（Ｋａｐｏｏｒ等、Ｒｅｍｏｖａｌ  ｏｆ  Ｓｅｌｅｎｉｕｍ  ｆｒｏｍ  Ｗａｔｅｒ  ａｎｄ  Ｗａｓｔｅｗａｔｅｒ、Ｅｎｖｉｒｏｎｍｅｎｔａｌ  Ｓｔｕｄｉｅｓ、Ｖｏｌ．４９、ｐｐ．１３７−１４７（１９９５）参照）。その結果として、従来の除去方法は不十分なものか又はある場合にはほとんど効果がないものである。１つの従来技術が米国特許第７４１９６０２号に記載されており、これは第２鉄塩、ｐＨ調節及び酸化剤の使用を含む技術であるが、その効率は７０％未満である。他の方法が米国特許第５５１００４０号に記載され、これはポリジチオカルバメート物質を用いる方法であり、より高い効率を示す一方で相当の費用がかかる方法である。
【０００５】
従って、セレンを溶液から除去するための改善された方法及びその使用について、明らかな必要性がある。ここで記載された技術は、特に記載されない限り、ここで参照された全ての特許、刊行物又は情報が本発明に関して「従来技術」であることを自認することを意図するものではない。さらに、ここの記載は、調査（サーチ）がなされたこと、又は３７ＣＦＲ．１．５６（ａ）に既定される他の関連する情報がない、ということを意味するように解釈されるべきではない。
【先行技術文献】
【特許文献】
【０００６】
【特許文献１】米国特許第７４１９６０２号明細書
【特許文献２】米国特許第５５１００４０号明細書
【発明の概要】
【発明が解決しようとする課題】
【０００７】
本発明は、流体からセレンを除去するための物質及びそれを用いて流体からセレンを除去する方法を提供することを課題とする。
【課題を解決するための手段】
【０００８】
本発明の少なくとも１つの実施態様は、液体からセレンを除去する方法に関わり、前記方法は：前記液体に酸化剤を添加し、
前記液体のｐＨを７．５未満に調節し、
前記液体中のセレンの四分の一未満が沈殿するような量で、第２鉄塩を添加し、
前記液体にジチオカルバメート物質を、前記物質中のジチオカルバメートの量（ｐｐｍで）が前記第２鉄塩の量（ｐｐｍで）よりも多くなるように添加する、ステップを含む。前記ジ前記チオカルバメート物質は、ＰＤＴＣ、ＤＴＣ及びこれらの任意の組合せからなる群から選択され得る。前記液体は水であり得る。前記水はサワーストリッパー水であり得る。前記ｐＨは、硫酸、ＨＣｌ、Ｈ３ＰＯ４及びこれらの任意の組合せの添加により下げられ得る。前記第２鉄塩は、硫化第２鉄、塩化第２鉄、硫化第１鉄、塩化第１鉄及びこれらの任意の組合せからなる群から選択され得る。前記第２鉄塩は、１〜３００ｐｐｍの間の量で添加され得る。前記ジチオカルバメート物質は、前記液体へ添加される第２鉄塩の量（ｐｐｍで）の５０％と３００％との間であり得る。
【０００９】
前記方法は、前記液体に硫黄含有凝集剤の添加を含み得る。前記方法は、前記液体中のセレンの量を、１０００ｐｐｂを超える量から４０ｐｐｂ未満の量へ低減させ得る。前記酸化剤は、過酸化水素オゾン、ＫＭｎＯ４、ＮａＣｌＯ、ＣｌＯ２、過酢酸、過炭酸ナトリウム、過酸化カルバミド、過硫酸ナトリウム及びこれらの任意の組合せからなるリストから選択され得る。
【００１０】
以下、本発明は図面を参照しつつ説明される。
【図面の簡単な説明】
【００１１】
【図１】図１は、本発明の方法の１つの実施態様を示すフローチャートである。
【発明を実施するための形態】
【００１２】
定義
以下、本出願の目的のために用語が次のように定義される。
【００１３】
「ＰＤＴＣ」は、ポリジリオカルバメートを意味し、ジチオカルバメート官能基が存在するポリマーの任意の形を含む。「ＤＴＣ」はジチオカルバメートを意味する。
【００１４】
「セレナイト」は、化学式ＨＳｅＯ３−を持つ物質のセレン含有組成物を意味する。
【００１５】
「サワーウオーター」は、化学処理、及びより具体的には石油化学処理の副生成物として生成される液体廃棄物を意味する。「ストリッピング」は、液流の一部の水で、アンモニア及び硫化水素などの副生成物を除去する処理を意味する。ストリッピングは通常蒸留搭内で実施され、そこでは前記液流が前記搭を流れ落ち、ガス流が前記搭を上昇して前記液体から汚染物が「ストリップ（除去）」される。
【００１６】
「ストリッパーサワーウオーター」は、ストリッピング工程を通過したサワーウオーターを意味する。
【００１７】
「排水」は、工業プラント又は工業プロセスから生成される複生成物である水を意味する。
【００１８】
上の定義又は本出願のいずれかでなされた定義が、辞書又は本出願に参照されて援用されたもので通常使用される意味とは一致しない場合は、本出願及び特に請求項で使用される用語は本出願での定義により解釈されるべきであり、かつ通常の定義、辞書の定義又は参照されて援用された定義により解釈されるべきではない。
【００１９】
少なくとも１つの実施態様では、セレンは、セレン含有液体から：前記液体に酸化剤を添加し、前記液体のｐＨを７（好ましくは６）未満に調節し、第２鉄塩を、前記液体中のセレンの四分の一未満が沈殿するような量で添加し、及びポリジチオカルバメート物質を前記液体に、前記ポリジチオカルバメート物質の量（ｐｐｍ）が前記第２鉄塩の量（ｐｐｍ）よりも多いような量で添加するステップを含む方法で除去される。
【００２０】
少なくとも１つの実施態様では、前記酸化剤は、過酸化水素オゾン、ＫＭｎＯ４、ＮａＣｌＯ、ＣｌＯ２、過酢酸、過炭酸ナトリウム、過酸化カルバミド、過硫酸ナトリウム及びこれらの任意の組合せからなるリストから選択される。少なくとも１つの実施態様では、前記ｐＨは、硫酸、ＨＣｌ、Ｈ３ＰＯ４及びこれらの任意の組合せからなるリストから選択される酸の添加により下げられる。少なくとも１つの実施態様では、前記第２鉄塩は、硫酸第２鉄、塩酸第２鉄、硫酸第１鉄、塩酸第１鉄及びこれらの任意の組合せからなる群から選択される。少なくとも１つの実施態様では、前記第２鉄塩は、約１〜３００ｐｐｍの量で添加される。少なくとも１つの実施態様では、前記ポリジチオカルバメート物質は、前記液体に添加された第２鉄の量（ｐｐｍで）の約５０％〜３００％の間である。
【００２１】
理論に限定されずに、前記酸化剤及びｐＨ環境は、セレンをセレナイトへ変換し、これは前記第２鉄塩と複合体を形成し、これが効果的に前記ポリジチオカルバメート物質と凝集して溶液から除去される、と考えられる。ｐＨの低下を限定することは、前記セレンが、除去することがより困難なその他の化合物を形成することを防止する。前記ＳｅＯ３２−をＨＳｅＯ３−にすることで、セレナイトは、第２鉄イオンがセレンと結合するための最良の条件を促進し、それにより、より少量の第２鉄イオンが使用され得る。前記ＰＤＴＣの使用は、溶液から効果的に分離され得る前記第２鉄セレナイト付加物を沈殿させる。対照的に、従来技術は、より高濃度の第２鉄イオンでのみ操作されるより高いｐＨ（＞８）での共沈殿方法によるものであった。この共沈殿方法は、比較的少量のＳｅ含有物質を吸収するために過剰量の加水分解酸化鉄（水酸化鉄）物質を用いる。
【００２２】
少なくとも１つの実施態様では、前記ｐＨ、ｐＥ、電位及びＳＨＥ（標準水素電極）（ボルトで）は、教科書（Ｐｏｕｒｂａｉｘ、Ｍ．Ａｔｌａｓ  ｏｆ  Ｅｌｅｃｔｒｏ  Ｃｈｅｍｉｃａｌ  Ｅｑｕｉｌｉｂｒｉａ  ｉｎ  Ａｑｕｅｏｕｓ  Ｓｏｌｕｔｉｏｎｓ、ＮＡＣＥ  Ｃｅｂｅｌｃｏｒ（１９７４）（Ｊａｍｅｓ  Ａ．Ｆｒａｎｋｌｉｎによりフランス語から翻訳）及び特に５５４−５５９ページで、セレンのセレナイトの形成及び維持のための最適化）に準じて調節される。
【００２３】
少なくとも１つの実施態様で、前記水は石油精製からのスリッパサワーウオーターである。これらの実施態様では、前記セレン除去は、蒸留搭を通る前記サワーウオーターの繰り返し通過が前記サワーウオーター中のセレンの濃度を増加し続ける結果となる場合に、顕著な効果を奏する。さらに、サワーストリッピング水は一般には非常に還元性であり、ほとんどのセレンはセレナイト、セレンシアネート及び他の有機セレン種の形で存在する。一連の実験で、本発明の方法は、ストリッパーサワーウオーター中の９５％を超えるセレンを効果的に除去する、ということが示された。
【００２４】
鉄物質とＰＤＴＣとの比は重要であり、それぞれの水源に応じて調節される必要がある。少なくとも１つの実施態様では、鉄物質とＰＤＴＣの比は１：４の硫酸鉄のモル数対ジチオカルバメート官能基のモル数である（１０％の活性硫酸鉄溶液を用いる）。他の実施態様では、鉄物質とＰＤＴＣの比が１：２である。理想的範囲はこれらの例の間であるが、完全に水に依存する。
【００２５】
いくつかの他の実施態様で、前記方法はＰＤＴＣに代えてＤＴＣを用いて実施される。
【００２６】
実施例
ここまで説明されたことは、次のいくつかの例を参照することでよりよく理解され得る。以下の例は例示することを目的とし、本発明の範囲を限定することを意図するものではない。
【００２７】
ストリッパーサワーウオーターのいくつかのサンプルを石油精製所から得た。これらのサンプルは大量のセレンを含んでいた。前記サンプルはその後、セレンを除去するための従来技術及び本発明の方法により処理された。残りの水はその後、誘導カップルプラズマ技術を用いて、サンプル中に残留するセレンを元素分析した。
【００２８】
【表１】
2013522008.tif 000003
データは、この処理で最も効果的な適用は、ｐＨ６〜７であることを示す。このｐＨではセレンは大部分がＨＳｅＯ３−（セレナイト）の形である。この形は、容易に第２鉄イオンと、さらに最終的にはＰＤＴＣＢと複合物を形成可能となる。この凝集は大きな浮氷粒子を形成し、何らかの固−液分離方法で分離され得る。通常は石油精製所排水はｐＨ＞７であり、従って酸の添加により調節して低下させる必要がある。
【００２９】
本発明は多くの異なる態様で実施され得るが、ここでは本発明の特に好ましい実施態様について添付図面に詳細に示される。本発明の開示は、本発明の原理を例示するものであって、本発明は例示される実施態様に限定されるものではない。ここで挙げられた全ての特許、特許出願、科学的文献及び全ての他の参照資料はそれらの全内容が参照されて本明細書に援用される。さらに、本発明は、ここで説明され、及び援用される種々の実施態様のいくつか又は全ての任意の可能な組合せを含む。
【００３０】
ここで開示される全ての範囲及びパラメータは、そこに含まれる任意の及び全ての部分範囲を含み、その範囲の両端の間の全ての数が含まれる。例えば、範囲「１〜１０」とは、最小値１及び最大値１０の間（及び最小値１及び最大値１０を含む）の任意のかつ全ての部分範囲を含むものと考えられるべきである。即ち最小値以上で始まる部分範囲（例えば１〜６．１）、最大値１０以下で終了する部分範囲（例えば９．４〜８、４〜７）を含み、かつ最終的に前記範囲に含まれるそれぞれの数１、２、３、４、５、６、７、８、９、及び１０を含むものと考えられるべきである。
【００３１】
これまでの開示は説明のためであることが意図されており網羅的なものではない。本記載は、当業者に多くの変更例及び変法を示唆するものである。これら全ての変更例及び変法は、特許請求の範囲に含まれることが意図されており、ここで用語「含む」は「含むがこれに限定されない」ことを意味する。当技術分野に精通する者は、ここで記載された具体的な実施態様と均等な他の実施態様はまた本特許請求の範囲に含まれる、ということを認識することができる。当業者は、ここで記載される具体的な実施態様と均等な他の実施態様はまた添付される本特許請求の範囲に含まれる、ということを認識することができる。
【図１】
2013522008.tif 000004
【国際調査報告】
2013522008.tif 000005
2013522008.tif 000006